(57)【要約】【課題】  例えば、小型軽量、広画角、高ズーム比、および高い光学性能の点で有利なズームレンズを提供する。【解決手段】  ズームレンズは、物体側から像側へ順に、変倍時固定の正の第１群、移動する３つまたは４つの群、正の最終群を有し、前記第１群と、前記３つまたは４つの群と、前記最終群のうち隣接する群の間隔が変倍のため時に変化し、前記３つまたは４つの群は、負の２つの群を含み、前記最終群は、最大空気間隔をもって互いに隔てられたＦＲ群とＲＲ群とからなり、前記ＦＲ群と前記ＲＲ群は、それぞれ正レンズと負レンズとを有し、前記最終群の焦点距離、広角端、無限遠合焦状態でのズームレンズの焦点距離、前記ＦＲ群中の正レンズ及び負レンズのアッベ数と部分分散比の平均値、前記ＲＲ群中の正レンズ及び負レンズのアッベ数と部分分散比の平均値を適切に設定する。【選択図】  図１
2020134834.tif 000002
【特許請求の範囲】
【請求項１】
物体側から像側へ順に、正の屈折力を有し、変倍のためには移動しない第１レンズ群と、変倍のために移動する３つまたは４つのレンズ群と、正の屈折力を有し、変倍のためには移動しない最終レンズ群と、を有し、
前記第１レンズ群と、前記３つまたは４つのレンズ群と、前記最終レンズ群とのうち隣り合う任意の２つのレンズ群の間隔が変倍のために変化し、
前記３つまたは４つのレンズ群は、負の屈折力を有する２つのレンズ群を含み、
前記最終レンズ群は、前記最終レンズ群中で最も大きな空気間隔をもって互いに隔てられたＦＲレンズ群とＲＲレンズ群とからなり、前記ＦＲレンズ群と前記ＲＲレンズ群とは、それぞれ正レンズと負レンズとを有し、
前記最終レンズ群の焦点距離をｆＦとし、広角端かつ無限遠合焦状態でのズームレンズの焦点距離をｆｗとし、前記ＦＲレンズ群中の正レンズのアッベ数の平均値および部分分散比の平均値をそれぞれνｄｆｐおよびθｇＦｆｐとし、前記ＦＲレンズ群中の負レンズのアッベ数の平均値および部分分散比の平均値をそれぞれνｄｆｎおよびθｇＦｆｎとし、前記ＲＲレンズ群中の正レンズのアッベ数の平均値および部分分散比の平均値をそれぞれνｄｒｐおよびθｇＦｒｐとし、前記ＲＲレンズ群中の負レンズのアッベ数の平均値および部分分散比の平均値をそれぞれνｄｒｎおよびθｇＦｒｎとして、
−１．３×１０−３＜（θｇＦｆｐ−θｇＦｆｎ）／（νｄｆｐ−νｄｆｎ）＜１５．０×１０−３
−１．４×１０−３＜（θｇＦｒｐ−θｇＦｒｎ）／（νｄｒｐ−νｄｒｎ）＜−０．２×１０−３
８．０＜ｆＦ／ｆｗ＜１７．０
なる条件式を満足することを特徴とするズームレンズ。
ただし、アッベ数νｄおよび部分分散比θｇＦは、それぞれ、ｇ線における屈折率をｎｇとし、Ｆ線における屈折率をｎＦとし、ｄ線における屈折率をｎｄとし、Ｃ線における屈折率をｎＣとして、
νｄ＝（ｎｄ−１）／（ｎＦ−ｎＣ）
θｇＦ＝（ｎｇ−ｎＦ）／（ｎＦ−ｎＣ）
なる式で定義される。
【請求項２】
前記ＲＲレンズ群の焦点距離をｆＲＲとして、
０．７＜ｆＲＲ／ｆＦ＜１．５
なる条件式を満足することを特徴とする請求項１に記載のズームレンズ。
【請求項３】
前記第１レンズ群に含まれる最もアッベ数の小さい正レンズのアッベ数をνｄ１ａｐとして、
νｄ１ａｐ＜２４
なる条件式を満足することを特徴とする請求項１または請求項２に記載のズームレンズ。
【請求項４】
前記３つまたは４つのレンズ群に含まれる負の屈折力を有するレンズ群に含まれる最もアッベ数の小さい正レンズのアッベ数および部分分散比をそれぞれνｄｍｄｐおよびθｇＦｍｄｐとし、前記３つまたは４つのレンズ群に含まれる負の屈折力を有するレンズ群に含まれる最もアッベ数の大きい負レンズのアッベ数および部分分散比をそれぞれνｄｍｄｎおよびθｇＦｍｄｎとして、
−２．０×１０−３＜（θｇＦｍｄｐ−θｇＦｍｄｎ）／（νｄｍｄｐ−νｄｍｄｎ）＜−０．５×１０−３
なる条件式を満足することを特徴とする請求項１ないし請求項３のうちいずれか１項に記載のズームレンズ。
【請求項５】
前記第１レンズ群の焦点距離をｆ１とし、望遠端での前記ズームレンズの焦点距離をｆｔとして、
０．１＜ｆ１／ｆｔ＜１．０
なる条件式を満足することを特徴とする請求項１ないし請求項４のうちいずれか１項に記載のズームレンズ。
【請求項６】
前記第１レンズ群の焦点距離をｆ１とし、前記３つまたは４つのレンズ群のうち広角端から望遠端へのズーミングのための移動量が最も大きいレンズ群の焦点距離をｆｍとして、
−２．７＜ｆ１／ｆｍ＜−１．０
なる条件式を満足することを特徴とする請求項１ないし請求項５のうちいずれか１項に記載のズームレンズ。
【請求項７】
前記３つまたは４つのレンズ群のうち前記最終レンズ群とは隣り合うレンズ群の最も物体側の光学面と前記ＦＲレンズ群の最も像側の光学面との間に配置された開口絞りを有することを特徴とする請求項１ないし請求項６のうちいずれか１項に記載のズームレンズ。
【請求項８】
請求項１ないし請求項７のうちいずれか１項に記載のズームレンズと、
前記ズームレンズの像面に配された撮像素子と、
を有することを特徴とする撮像装置。
【発明の詳細な説明】
【技術分野】
【０００１】
本発明はズームレンズおよび撮像装置に関する。
【背景技術】
【０００２】
テレビカメラや映画用カメラ、デジタルスチルカメラ、ビデオカメラなどの撮像装置に用いられるズームレンズは、高い運用性のため小型軽量であることや、広画角、高変倍比、および高い光学性能を有していることが要求されている。また、映像規格４Ｋまたは８Ｋ等に向けられた撮像素子の高精細化に伴い、像面内で均一性の高い高解像力や、色収差の少ないことが要求されている。
【０００３】
小型軽量・広画角・高倍率なズームレンズとして、特許文献１および２に記載のものが知られている。当該ズームレンズは、物体側から像側へ順に、まず、変倍のためには移動せず正の屈折力を有する第１レンズ群を有している。また、変倍のために移動し負の屈折力を有する第２レンズ群と、変倍（像面変動の補償）ために移動し負の屈折力を有する第３レンズ群とを有している。更に、開口絞りと、変倍のためには移動せず正の屈折力を有する第４レンズ群とを有している。当該第１レンズ群は、物体側から像側へ順に、負の屈折力を有する１−１レンズ群と、正の屈折力を有する１−２レンズ群と、正の屈折力を有する１−３レンズ群とから構成されている。当該ズームレンズは、インナーフォーカス方式を採用し、当該第１レンズ群のうちの当該１−２群が合焦のために移動する。
【先行技術文献】
【特許文献】
【０００４】
【特許文献１】特開２００９−４２３４６号公報
【特許文献２】ＷＯ１７／１５８８９９
【発明の概要】
【発明が解決しようとする課題】
【０００５】
そのようなズームレンズにおける小型軽量・広画角・高ズーム比の更なる改善、特に更なる広角化は、広角端での倍率色収差等、ズーム全域での高い光学性能の点で困難である。
【０００６】
本発明は、例えば、小型軽量、広画角、高ズーム比、および高い光学性能の点で有利なズームレンズを提供することを目的とする。
【課題を解決するための手段】
【０００７】
本発明のズームレンズは、物体側から像側へ順に、正の屈折力を有し、変倍のためには移動しない第１レンズ群と、変倍のために移動する３つまたは４つのレンズ群と、正の屈折力を有し、変倍のためには移動しない最終レンズ群と、を有し、前記第１レンズ群と、前記３つまたは４つのレンズ群と、前記最終レンズ群とのうち隣り合う任意の２つのレンズ群の間隔が変倍のために変化し、前記３つまたは４つのレンズ群は、負の屈折力を有する２つのレンズ群を含み、前記最終レンズ群は、前記最終レンズ群中で最も大きな空気間隔をもって互いに隔てられたＦＲレンズ群とＲＲレンズ群とからなり、前記ＦＲレンズ群と前記ＲＲレンズ群とは、それぞれ正レンズと負レンズとを有し、前記最終レンズ群の焦点距離をｆＦとし、広角端かつ無限遠合焦状態でのズームレンズの焦点距離をｆｗとし、前記ＦＲレンズ群中の正レンズのアッベ数の平均値および部分分散比の平均値をそれぞれνｄｆｐおよびθｇＦｆｐとし、前記ＦＲレンズ群中の負レンズのアッベ数の平均値および部分分散比の平均値をそれぞれνｄｆｎおよびθｇＦｆｎとし、前記ＲＲレンズ群中の正レンズのアッベ数の平均値および部分分散比の平均値をそれぞれνｄｒｐおよびθｇＦｒｐとし、前記ＲＲレンズ群中の負レンズのアッベ数の平均値および部分分散比の平均値をそれぞれνｄｒｎおよびθｇＦｒｎとして、
−１．３×１０−３＜（θｇＦｆｐ−θｇＦｆｎ）／（νｄｆｐ−νｄｆｎ）＜１５．０×１０−３
−１．４×１０−３＜（θｇＦｒｐ−θｇＦｒｎ）／（νｄｒｐ−νｄｒｎ）＜−０．２×１０−３
８．０＜ｆＦ／ｆｗ＜１７．０
なる条件式を満足することを特徴としている。
ただし、アッベ数νｄおよび部分分散比θｇＦはそれぞれ、ｇ線における屈折率をｎｇとし、Ｆ線における屈折率をｎＦとし、ｄ線における屈折率をｎｄとし、Ｃ線における屈折率をｎＣとして、
νｄ＝（ｎｄ−１）／（ｎＦ−ｎＣ）
θｇＦ＝（ｎｇ−ｎＦ）／（ｎＦ−ｎＣ）
なる式でと定義される。
【発明の効果】
【０００８】
本発明によれば、例えば、小型軽量、広画角、高ズーム比、および高い光学性能の点で有利なズームレンズを提供することができる。
【図面の簡単な説明】
【０００９】
【図１】数値実施例１の広角端において無限遠物体に合焦したときのレンズ断面図
【図２】数値実施例１の（Ａ）広角端、（Ｂ）ズーム中間、（Ｃ）望遠端で無限遠物体に合焦したときの収差図
【図３】数値実施例２の広角端において無限遠物体に合焦したときのレンズ断面図
【図４】数値実施例２の（Ａ）広角端、（Ｂ）ズーム中間、（Ｃ）望遠端で無限遠物体に合焦したときの収差図
【図５】数値実施例３の広角端において無限遠物体に合焦したときのレンズ断面図
【図６】数値実施例３の（Ａ）広角端、（Ｂ）ズーム中間、（Ｃ）望遠端で無限遠合焦したときの収差図
【図７】数値実施例４の広角端において無限遠物体に合焦したときのレンズ断面図
【図８】数値実施例４の（Ａ）広角端、（Ｂ）ズーム中間、（Ｃ）望遠端で無限遠合焦したときの収差図
【図９】数値実施例５の広角端において無限遠物体に合焦したときのレンズ断面図
【図１０】数値実施例５の（Ａ）広角端、（Ｂ）ズーム中間、（Ｃ）望遠端で無限遠合焦したときの収差図
【図１１】数値実施例６の広角端において無限遠物体に合焦したときのレンズ断面図
【図１２】数値実施例６の（Ａ）広角端、（Ｂ）ズーム中間、（Ｃ）望遠端で無限遠合焦したときの収差図
【図１３】数値実施例７の広角端において無限遠物体に合焦したときのレンズ断面図
【図１４】数値実施例７の（Ａ）広角端、（Ｂ）ズーム中間、（Ｃ）望遠端で無限遠合焦したときの収差図
【図１５】本発明の撮像装置の要部概略図
【図１６】光学材料のアッベ数νと部分分散比θの分布の模式図
【発明を実施するための形態】
【００１０】
以下に本発明の実施の形態を添付の図面に基づいて詳細に説明する。
図１は本発明の実施例１としての数値実施例１の広角端で、無限遠物体に合焦しているときのレンズ断面図である。図２は、数値実施例１の（Ａ）広角端、（Ｂ）中間のズーム位置、（Ｃ）望遠端（長焦点距離端）における無限遠物体に合焦しているときの縦収差図である。
【００１１】
図３は本発明の実施例２としての数値実施例２の広角端で、無限遠物体に合焦しているときのレンズ断面図である。図４は、数値実施例２の（Ａ）広角端、（Ｂ）中間のズーム位置、（Ｃ）望遠端（長焦点距離端）における無限遠物体に合焦しているときの縦収差図である。
【００１２】
図５は本発明の実施例３としての数値実施例３の広角端で、無限遠物体に合焦しているときのレンズ断面図である。図６は、数値実施例３の（Ａ）広角端、（Ｂ）中間のズーム位置、（Ｃ）望遠端（長焦点距離端）における無限遠物体に合焦しているときの縦収差図である。
【００１３】
図７は本発明の実施例４としての数値実施例４の広角端で、無限遠物体に合焦しているときのレンズ断面図である。図８は、数値実施例４の（Ａ）広角端、（Ｂ）中間のズーム位置、（Ｃ）望遠端（長焦点距離端）における無限遠物体に合焦しているときの縦収差図である。
【００１４】
図９は本発明の実施例５としての数値実施例５の広角端で、無限遠物体に合焦しているときのレンズ断面図である。図１０は、数値実施例５の（Ａ）広角端、（Ｂ）中間のズーム位置、（Ｃ）望遠端（長焦点距離端）における無限遠物体に合焦しているときの縦収差図である。
【００１５】
図１１は本発明の実施例６としての数値実施例６の広角端で、無限遠物体に合焦しているときのレンズ断面図である。図１２は、数値実施例６の（Ａ）広角端、（Ｂ）中間のズーム位置、（Ｃ）望遠端（長焦点距離端）における無限遠物体に合焦しているときの縦収差図である。
【００１６】
図１３は本発明の実施例７としての数値実施例７の広角端で、無限遠物体に合焦しているときのレンズ断面図である。図１４は、数値実施例７の（Ａ）広角端、（Ｂ）中間のズーム位置、（Ｃ）望遠端（長焦点距離端）における無限遠物体に合焦しているときの縦収差図である。
図１５は本発明の撮像装置の要部概略図である。
【００１７】
各レンズ断面図において、左方が被写体（物体）側（前方）で、右方が像側（後方）である。レンズ断面図において、Ｌ１は変倍時不動の正の屈折力の第１レンズ群である。Ｌ１ｂはフォーカスレンズ群であり、無限遠物体から近距離物体へのフォーカスに際して像側へ移動する。Ｌ１ａ、Ｌ１ｃは第１レンズ群Ｌ１中の合焦時不動のレンズ群である。図１、３、５、７、９、１１、１３において、Ｌ２〜Ｌ５はズーミングのために移動するレンズ群であり、ＬＦは変倍時不動のレンズ群である。
【００１８】
ＳＰは絞り（開口絞り）である。Ｐはプリズムなどの光学素子である。Ｉは撮像面であり、放送用テレビカメラ、映画用カメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００１９】
縦収差図において、球面収差における実線と二点鎖線と一点鎖線と破線は各々ｅ線、g線、Ｃ線、Ｆ線である。非点収差における破線と実線は各々メリディオナル像面，サジタル像面であり、倍率色収差における二点鎖線と一点鎖線と破線は各々g線、Ｃ線、Ｆ線である。ωは半画角、ＦｎｏはＦナンバーである。なお、以下の各実施例においてズーム用のレンズ群が最も短焦点側の配置となった場合を広角端、最も長焦点側の配置となった場合を望遠端という。
【００２０】
縦収差図におけるスケールは、図２、４、６、８に関しては、球面収差は０．２ｍｍ、非点収差は０．２ｍｍ、歪曲は５％、倍率色収差は０．０５ｍｍのスケールで描かれている。図１０，１２，１４に関しては、球面収差は０．４ｍｍ、非点収差は０．４ｍｍ、歪曲は５％、倍率色収差は０．０５ｍｍのスケールで描かれている。
【００２１】
本発明のズームレンズは、物体側から像側へ順に、正の屈折力を有し変倍のためには移動しない第１レンズ群と、変倍のために移動する３つまたは４つのレンズ群と、正の屈折力を有し変倍のためには移動しない最終レンズ群とを有する。前記第１レンズ群と、前記３つまたは４つのレンズ群と、前記最終レンズ群とのうち隣り合う任意の２つのレンズ群の間隔が変化するように構成されている。前記３つまたは４つのレンズ群は、負の屈折力を有する２つのレンズ群を含む。前記最終レンズ群は、前記最終レンズ群中で最も大きな空気間隔をもって互いに隔てられたＦＲレンズ群とＲＲレンズ群とからなり、前記ＦＲレンズ群と前記ＲＲレンズ群とは、それぞれ正レンズと負レンズとを有する。前記最終レンズ群の焦点距離をｆＦとし、広角端かつ無限遠合焦状態でのズームレンズの焦点距離をｆｗとし、前記ＦＲレンズ群中の正レンズのアッベ数の平均値および部分分散比の平均値をそれぞれνｄｆｐおよびθｇＦｆｐとし、前記ＦＲレンズ群中の負レンズのアッベ数の平均値および部分分散比の平均値をそれぞれνｄｆｎおよびθｇＦｆｎとし、前記ＲＲレンズ群中の正レンズのアッベ数の平均値および部分分散比の平均値をそれぞれνｄｒｐおよびθｇＦｒｐとし、前記ＲＲレンズ群中の負レンズのアッベ数の平均値および部分分散比の平均値をそれぞれνｄｒｎおよびθｇＦｒｎとして、
−１．３×１０−３＜（θｇＦｆｐ−θｇＦｆｎ）／（νｄｆｐ−νｄｆｎ）＜１５．０×１０−３  ・・・（１）
−１．４×１０−３＜（θｇＦｒｐ−θｇＦｒｎ）／（νｄｒｐ−νｄｒｎ）＜−０．２×１０−３  ・・・（２）
８．０＜ｆＦ／ｆｗ＜１７．０  ・・・（３）
なる条件式を満足している。
ただし、アッベ数νｄおよび部分分散比θｇＦはそれぞれ、ｇ線における屈折率をｎｇとし、Ｆ線における屈折率をｎＦとし、ｄ線における屈折率をｎｄとし、Ｃ線における屈折率をｎＣとして、
νｄ＝（ｎｄ−１）／（ｎＦ−ｎＣ）
θｇＦ＝（ｎｇ−ｎＦ）／（ｎＦ−ｎＣ）
なる式でと定義されるものとする。
【００２２】
条件式（１）、（２）、（３）の技術的意味について説明する。
条件式（１）は、ＦＲレンズ群の正レンズ及び負レンズのアッベ数の平均値の差分と、ＦＲレンズ群の正レンズ及び負レンズの部分分散比の平均値の差分の比であり、二次スペクトル抑制に関わる条件を規定する式である。
【００２３】
レンズ群全体の屈折力をφ、アッベ数νｄおよび部分分散比θｇＦとし、発生する二次スペクトル量△として定義すると、
△＝（１／φ）・（θｇＦ２―θｇＦ１）／（νｄ１―νｄ２）
と表される。
ここで、νｄ１とθｇＦ１が正（負）レンズの光学ガラス特性、νｄ２とθｇＦ２が負（正）レンズの光学ガラス特性を示している。従って、条件式（１）は二次スペクトル量の発生量に直結する式であると分かる。
【００２４】
条件式（１）の下限を超えると、ＦＲレンズ群で発生する軸上色収差の２次スペクトルが大きくなるため、軸上色収差の２次スペクトルが補正過剰となる。
条件式（１）の上限を超えると、ＦＲレンズ群で軸上色収差の２次スペクトルが補正不足となる。軸上色収差の２次スペクトル補正が過剰、もしくは不足となると、色滲みによる画像劣化が顕著になり、高い光学性能の達成が困難となる。
【００２５】
条件式（２）は、ＲＲレンズ群の正レンズ及び負レンズのアッベ数の平均値の差分と、ＦＲレンズ群の正レンズ及び負レンズの部分分散比の平均値の差分の比であり、二次スペクトル抑制に関わる条件を規定する式である。
条件式（２）の下限を超えると、ＲＲレンズ群による倍率色収差の２次スペクトル補正効果が小さくなるため、倍率色収差の２次スペクトルが補正不足となる。
条件式（２）の上限を超えると、ＲＲレンズ群による倍率色収差の２次スペクトル補正効果が大きくなり過ぎるため、倍率色収差の２次スペクトルが補正過剰となる。
倍率色収差の２次スペクトル補正が過剰、もしくは不足となると、周辺での色ズレによる画像劣化が顕著になり、高い光学性能の達成が困難となる。
【００２６】
条件式（３）は、前記最終レンズ群の焦点距離ｆＦと、広角端、無限遠合焦状態におけるズームレンズ全系の焦点距離ｆｗの比を規定する式である。
条件式（３）の下限を超えると、最終レンズ群の屈折力が相対的に強くなり、群内で発生する諸収差の増大により高い光学性能の達成が困難となる。
条件式（３）の上限を超えると、最終レンズ群の焦点距離が相対的に弱くなり、絞り径が大きくなるなど、最終レンズ群よりも物体側のレンズ群が大きくなり、小型軽量化が困難となる。
【００２７】
各実施例では以上の如く構成することにより、小型軽量で広画角、高変倍比、且つ全ズーム範囲にわたり高い光学性能を有するズームレンズ及びそれを有する撮像装置を得ることができる。
【００２８】
更なる本発明のズームレンズの態様として、以下の条件式を満足するのが望ましい。
０．７＜ｆＲＲ／ｆＦ＜１．５  ・・・（４）
ただし、前記ＲＲレンズ群の焦点距離をｆＲＲとする。条件式（４）は、ＲＲレンズ群の焦点距離ｆＲＲと最終レンズ群の焦点距離ｆＦの比を規定している。
【００２９】
条件式（４）の上限を超えると、ｆＲＲがｆＦに対して相対的に正の屈折力が弱くなり、軸外光線の像面への入射角が大きくなる。像面への入射光線角度が大きくなると、カメラに装着した際のシェーディングが問題となる。
条件式（４）の下限を超えると、相対的にＦＲレンズ群の正の屈折力が弱くなる、もしくは負の屈折力が強くなり、ＲＲレンズ群への軸上光線の入射光線高さが高くなることで、ＲＲレンズ群の有効径が大きくなるため、小型化が困難となる。
【００３０】
更なる本発明のズームレンズの態様として、以下の条件式を満足するのが望ましい。
νｄ１ａｐ＜２４  ・・・（５）
ただし、前記第１レンズ群の正レンズで最もアッベ数が小さいレンズのアッベ数をνｄ１ａｐとする。条件式（５）は、第１レンズ群に含まれる最もアッベ数の小さい正レンズのアッベ数ν１ａｐの数値範囲を規定するものである。
【００３１】
図１６は、光学ガラス材料のアッベ数と部分分散比の傾向をプロットしたものである。図１６から読み取れるように、アッベ数が小さくなる場合にも２５程度を境に、部分分散比は破線で示される直線から外れ、異常分散性が急激に高まる一般的傾向がある。
上記特性の材料を、望遠端において光線径が高く、後続群により最も収差が拡大される第１レンズ内に適用することにより、望遠側における軸上色収差を効果的に抑制することができる。
【００３２】
条件式（５）の上限を超えると、高変倍化に伴う軸上色収差が増大し、高い光学性能を達成することが困難となる。
【００３３】
更なる本発明のズームレンズの態様として、前記第１レンズ群は、合焦時固定の負の屈折力の１ａ群、合焦時に移動する正の屈折力の１ｂ群、合焦時固定の正の屈折力の１ｃ群により構成されることが好ましい。このような構成とすることで、フォーカス群を少ないレンズ枚数で構成することができるため、フォーカス群の小型化が可能となる。
【００３４】
更なる本発明のズームレンズの態様として、前記第１レンズ群は、合焦時固定の負の屈折力の１ａ群、合焦時に移動する正の屈折力の１ｂ群、合焦時固定の正の屈折力の１ｃ群により構成されることが好ましい。このような構成とすることで、フォーカス群を少ないレンズ枚数で構成することができるため、フォーカス群の小型化が可能となる。
【００３５】
更なる本発明のズームレンズの態様として、前記第１レンズ群の正レンズで最もアッベ数が小さいレンズは、前記１ａ群に配置されることが好ましい。前記特性の材料を、望遠端において光線径が高く、後続群により最も収差が拡大される第１レンズ群内のうち、負の屈折力の１ａ群正レンズに適用することにより、望遠側における軸上色収差を効果的に抑制することができる。
【００３６】
更なる本発明のズームレンズの態様として、以下の条件式を満足するのが望ましい。
−２．０×１０−３＜（θｇＦｍｄｐ−θｇＦｍｄｎ）／（νｄｍｄｐ−νｄｍｄｎ）＜−０．５×１０−３  ・・・（６）
ただし、前記３つまたは４つのレンズ群のうち、負の屈折力を有するレンズ群を構成するレンズに関し、最もアッベ数の小さい正レンズのアッベ数、部分分散比をνｄｍｄｐ、θｇＦｍｄｐ、前記３つまたは４つのレンズ群の最もアッベ数の大きい負レンズのアッベ数、部分分散比をそれぞれνｄｍｄｎ、θｇＦｍｄｎとする。条件式（６）は、負の屈折力の前記３つまたは４つのレンズ群に含まれる、最もアッベ数の大きい負レンズと最もアッベ数の小さい正レンズのアッベ数および部分分散比を用いた式で、条件式（１）同様、二次スペクトル発生に関わる条件を規定する式である。
【００３７】
ズームレンズにおける倍率色収差は、広角端から望遠単への変倍に際し、プラス側からマイナス側への変動が発生し、これを抑制することが重要である。
【００３８】
主変倍群である前記３つまたは４つのレンズ群の負レンズに高い異常分散性のガラス材料、正レンズに低い異常分散性のガラス材料を適用することで、広角端におけるプラス側の二次スペクトル発生を低減し、上記変動を抑制することができる。
【００３９】
条件式（６）の下限を超えると、倍率色収差変動の抑制効果が不十分となり、高い光学性能を達成することが困難となる。
条件式（６）の上限を超えると、現存するガラス材料ではアッベ数の差が小さくなりすぎ、軸上色収差の一次の色消しのために群内の単レンズ屈折力が大きくなり諸収差が増大し、高い光学性能を達成することが困難となる。
【００４０】
更なる本発明のズームレンズの態様として、以下の条件式を満足するのが望ましい。
０．１＜ｆ１／ｆｔ＜１．０  ・・・（７）
ただし、第１レンズ群の焦点距離をｆ１とし、望遠端におけるレンズ全系の焦点距離をｆｔとする。条件式（７）は、第１レンズ群の焦点距離ｆ１と、望遠端における全系焦点距離ｆｔの比を規定する式である。
【００４１】
条件式（７）の下限を超えると、第１レンズ群の焦点距離が小さくなりすぎ、群内で発生する諸収差の増大により高い光学性能の達成が困難となる。
条件式（７）の上限を超えると、第１レンズ群の焦点距離が大きくなりすぎ、小型軽量化が困難となるか、望遠端における焦点距離が不足し高変倍化が困難となる。
【００４２】
更なる本発明のズームレンズの態様として、以下の条件式を満足するのが望ましい。
−２．７＜ｆ１／ｆｍ＜−１．０  ・・・（８）
ただし、前記第１レンズ群の焦点距離をｆ１、前記３つまたは４つのレンズ群で広角端から望遠端にズーミングする際の移動量が最も大きいレンズ群の焦点距離をｆｍとする。条件式（８）は、第１レンズ群の焦点距離ｆ１と、前記３つまたは４つのレンズ群で広角端から望遠端にズーミングする際の移動量が最も大きいレンズ群の焦点距離ｆｍの比を規定する式である。
【００４３】
条件式（８）の下限を超えると、第１レンズ群の焦点距離が小さくなりすぎ、群内で発生する諸収差の増大により高い光学性能の達成が困難となるか、前記３つまたは４つのレンズ群の焦点距離が大きくなりすぎ、高変倍化と小型軽量化が困難となる。
条件式（８）の上限を超えると、第１レンズ群の焦点距離が大きくなりすぎ、広角化と小型軽量化が困難となるか、前途３つまたは４つのレンズ群の焦点距離が小さくなりすぎ、諸収差のズーム変動の増大により高い光学性能の達成が困難となる。
【００４４】
更なる本発明のズームレンズの態様として、開口絞りが、前記最終レンズ群の物体側に隣接するレンズ群の最も物体側の光学面から前記ＦＲレンズ群の最も像側の光学面の間のいずれかの位置に配置される構成とすることが好ましい。このような構成とすることで、絞りに近接するＦＲレンズ群では軸外光線高さが低くなり、ＲＲレンズ群では、軸外光線高さが高くなり、条件式（１）、（２）を満足した際の、軸上色収差及び倍率色収差の２次スペクトルの補正が更に良好となる。
【００４５】
なお、好ましくは条件式（１）〜（８）の数値範囲を次の如く設定するのが良い。
−１．２×１０−３＜（θｇＦｆｐ−θｇＦｆｎ）／（νｄｆｐ−νｄｆｎ）＜１３．０×１０−３  ・・・（１ａ）
−１．３５×１０−３＜（θｇＦｒｐ−θｇＦｒｎ）／（νｄｒｐ−νｄｒｎ）＜−０．２５×１０−３  ・・・（２ａ）
８．９＜ｆＦ／ｆｗ＜１５．５  ・・・（３ａ）
０．８＜ｆＲＲ／ｆＦ＜１．３５  ・・・（４ａ）
νｄ１ａｐ＜２３．９  ・・・（５ａ）
−１．９×１０−３＜（θｇＦｍｄｐ−θｇＦｍｄｎ）／（νｄｍｄｐ−νｄｍｄｎ）＜−０．７×１０−３  ・・・（６ａ）
０．１５＜ｆ１／ｆｔ＜０．９０  ・・・（７ａ）
−２．５５＜ｆ１／ｆｍ＜−１．２０  ・・・（８ａ）
【００４６】
なお、更に好ましくは条件式（１）〜（８）の数値範囲を次の如く設定するのが良い。
−１．１６×１０−３＜（θｇＦｆｐ−θｇＦｆｎ）／（νｄｆｐ−νｄｆｎ）＜１１．０×１０−３  ・・・（１ｂ）
−１．３２×１０−３＜（θｇＦｒｐ−θｇＦｒｎ）／（νｄｒｐ−νｄｒｎ）＜−０．３０×１０−３  ・・・（２ｂ）
９．２＜ｆＦ／ｆｗ＜１３．７  ・・・（３ｂ）
０．９０＜ｆＲＲ／ｆＦ＜１．２５  ・・・（４ｂ）
νｄ１ａｐ＜２３．７  ・・・（５ｂ）
−１．７×１０−３＜（θｇＦｍｄｐ−θｇＦｍｄｎ）／（νｄｍｄｐ−νｄｍｄｎ）＜−０．９×１０−３  ・・・（６ｂ）
０．２０＜ｆ１／ｆｔ＜０．８５  ・・・（７ｂ）
−２．４０＜ｆ１／ｆｍ＜−１．３５  ・・・（８ｂ）
【００４７】
図１５は実施例１〜７のズームレンズを撮影光学系として用いた撮像装置（テレビカメラシステム）の要部概略図である。図１５において１０１は実施例１〜７のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、前記３つまたは４つのレンズ群ＬＺ、結像用の最終レンズ群Ｒを有している。第１レンズ群Ｆはフォーカシングのために光軸上を移動するフォーカス用レンズ群が含まれている。
【００４８】
前記３つまたは４つのレンズ群ＬＺは実施例１〜７のズーミングのために光軸上を移動する移動群が含まれている。ＳＰは開口絞りである。１１４、１１５は各々フォーカスレンズ群、前記３つまたは４つのレンズ群ＬＺを光軸方向に駆動するヘリコイドやカム等の駆動機構である。
【００４９】
１１６〜１１８は駆動機構１１４、１１５および開口絞りＳＰを電動駆動するモータ（駆動手段）である。１１９〜１２１は、フォーカスレンズ群や前記３つまたは４つのレンズ群ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタに相当するガラスブロック、１１０はズームレンズ１０１によって形成された被写体像を受光するＣＣＤセンサやＣＭＯＳセンサ等の固体撮像素子（光電変換素子）である。
【００５０】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００５１】
以上、本発明の好ましい実施例について説明したが、本発明はこれらの実施例に限定されないことはいうまでもなく、その要旨の範囲内で種々の変形及び変更が可能である。
【００５２】
以下に本発明のズームレンズの数値実施例１〜７のレンズ構成の特徴を説明する。各実施例のレンズ断面図において、Ｉは像面であり、固体撮像素子の撮像面に相当している。以下、レンズ構成は特に断りがない限り、物体側から像側へ順に配置されているとして説明する。
【実施例１】
【００５３】
実施例１に示すズームレンズでは、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の最終レンズ群ＬＦで構成されている。
【００５４】
広角端から望遠端へのズーミングに際して、像面に対して第１レンズ群Ｌ１は不動で、第２レンズ群Ｌ２は変倍時像側に単調移動して主たる変倍を行い、第３レンズ群Ｌ３は変倍時移動し、第４レンズ群Ｌ４は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第９〜１０面に対応する。最終レンズ群は、第３７〜３９面のＦＲレンズ群と、第４０〜４９面のＲＲレンズ群からなる。
【００５５】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００５６】
実施例１の各条件式対応値を表１に示す。数値実施例１はいずれの条件式も満足しており、広角、高変倍化ながら、軸上色収差及び倍率色収差の２次スペクトルを良好に補正されたズームレンズを実現している。
【実施例２】
【００５７】
実施例２に示すズームレンズでは、正の屈折力の第１レンズ群Ｌ１、正の屈折力の第２レンズ群Ｌ２、負の屈折力の第３レンズ群Ｌ３、負の屈折力の第４レンズ群Ｌ４、正の屈折力の第５レンズ群Ｌ５、正の屈折力の最終レンズ群ＬＦで構成されている。
【００５８】
広角端から望遠端へのズーミングに際して、像面に対して第１レンズ群Ｌ１は不動で、第２レンズ群Ｌ２は変倍時移動し、第３レンズ群Ｌ３は変倍時像側に単調移動して主たる変倍を行い、第４レンズ群Ｌ４は変倍時移動し、第５レンズ群Ｌ５は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第９〜１０面に対応する。最終レンズ群は、第３９〜４１面のＦＲレンズ群と、第４２〜５１面のＲＲレンズ群からなる。
【００５９】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００６０】
実施例２の各条件式対応値を表１に示す。数値実施例２はいずれの条件式も満足しており、広角、高変倍化ながら、軸上色収差及び倍率色収差の２次スペクトルを良好に補正されたズームレンズを実現している。
【実施例３】
【００６１】
実施例３に示すズームレンズでは、正の屈折力の第１レンズ群Ｌ１、負の屈折力の第２レンズ群Ｌ２、負の屈折力の第３レンズ群Ｌ３、負の屈折力の第４レンズ群Ｌ４、正の屈折力の第５レンズ群Ｌ５、正の屈折力の最終レンズ群ＬＦで構成されている。
【００６２】
広角端から望遠端へのズーミングに際して、像面に対して第１レンズ群Ｌ１は不動で、第２レンズ群Ｌ２と第３レンズ群Ｌ３は変倍時像側に単調移動して主たる変倍を行い、第４レンズ群Ｌ４は変倍時移動し、第５レンズ群Ｌ５は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第７〜８面に対応する。最終レンズ群は、第３１〜３３面のＦＲレンズ群と、第３４〜４３面のＲＲレンズ群からなる。
【００６３】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００６４】
実施例３の各条件式対応値を表１に示す。数値実施例３はいずれの条件式も満足しており、広角、高変倍化ながら、軸上色収差及び倍率色収差の２次スペクトルを良好に補正されたズームレンズを実現している。
【実施例４】
【００６５】
実施例４に示すズームレンズでは、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の最終レンズ群ＬＦで構成されている。
【００６６】
広角端から望遠端へのズーミングに際して、像面に対して第１レンズ群Ｌ１は不動で、第２レンズ群Ｌ２は変倍時像側に単調移動して主たる変倍を行い、第３レンズ群Ｌ３は変倍時移動し、第４レンズ群Ｌ４は変倍に伴う像面補正を行っている。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第９〜１０面に対応する。最終レンズ群ＬＦは変倍時固定である。最終レンズ群は、第３７〜３９面のＦＲレンズ群と、第４０〜４９面のＲＲレンズ群からなる。
【００６７】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００６８】
実施例４の各条件式対応値を表１に示す。数値実施例４はいずれの条件式も満足しており、広角、高変倍化ながら、軸上色収差及び倍率色収差の２次スペクトルを良好に補正されたズームレンズを実現している。
【実施例５】
【００６９】
実施例５に示すズームレンズでは、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の最終レンズ群ＬＦで構成されている。
【００７０】
広角端から望遠端へのズーミングに際して、像面に対して第１レンズ群Ｌ１は不動で、第２レンズ群Ｌ２は変倍時像側に単調移動して主たる変倍を行い、第３レンズ群Ｌ３は変倍時移動し、第４レンズ群Ｌ４は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第９〜１０面に対応する。最終レンズ群は、第３７〜４２面のＦＲレンズ群と、第４３〜５５面のＲＲレンズ群からなる。
【００７１】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００７２】
実施例５の各条件式対応値を表１に示す。数値実施例５はいずれの条件式も満足しており、広角、高変倍化ながら、軸上色収差及び倍率色収差の２次スペクトルを良好に補正されたズームレンズを実現している。
【実施例６】
【００７３】
実施例６に示すズームレンズでは、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の最終レンズ群ＬＦで構成されている。
【００７４】
広角端から望遠端へのズーミングに際して、像面に対して第１レンズ群Ｌ１は不動で、第２レンズ群Ｌ２は変倍時像側に単調移動して主たる変倍を行い、第３レンズ群Ｌ３は変倍時移動し、第４レンズ群Ｌ４は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第９〜１０面に対応する。最終レンズ群は、第３７〜４２面のＦＲレンズ群と、第４３〜５５面のＲＲレンズ群からなる。
【００７５】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００７６】
実施例６の各条件式対応値を表１に示す。数値実施例６はいずれの条件式も満足しており、広角、高変倍化ながら、軸上色収差及び倍率色収差の２次スペクトルを良好に補正されたズームレンズを実現している。
【実施例７】
【００７７】
実施例７に示すズームレンズでは、正の屈折力の第１レンズ群Ｌ１、負の屈折力の第２レンズ群Ｌ２、負の屈折力の第３レンズ群Ｌ３、負の屈折力の第４レンズ群Ｌ４、正の屈折力の第５レンズ群Ｌ５、正の屈折力の最終レンズ群ＬＦで構成されている。
【００７８】
広角端から望遠端へのズーミングに際して、像面に対して第１レンズ群Ｌ１は不動で、第２レンズ群Ｌ２と第３レンズ群Ｌ３は変倍時像側に単調移動して主たる変倍を行い、第４レンズ群Ｌ４は変倍時移動し、第５レンズ群Ｌ５は変倍に伴う像面補正を行っている。最終レンズ群ＬＦは変倍時固定である。第１レンズ群Ｌ１は、合焦時固定の負の屈折力のＬ１ａ群、合焦時に移動する正の屈折力のＬ１ｂ群、合焦時固定の正の屈折力のＬ１ｃ群で構成される。Ｌ１ｂ群は、第７〜８面に対応する。最終レンズ群は、第３１〜３６面のＦＲレンズ群と、第３７〜４９面のＲＲレンズ群からなる。
【００７９】
最終レンズ群の焦点距離とレンズ全系の広角端における焦点距離の関係、ＦＲレンズ群とＲＲレンズ群それぞれの硝材配置を適切に行うことで、広角、高変倍化ながら、軸上色収差及び倍率色収差の２次スペクトルを良好に補正している。
【００８０】
実施例７の各条件式対応値を表１に示す。数値実施例７はいずれの条件式も満足しており、広角、高変倍化ながら、軸上色収差及び倍率色収差の２次スペクトルを良好に補正されたズームレンズを実現している。
【００８１】
以上、数値実施例１から数値実施例７においては、最終レンズ群は変倍時不動であるが、最終レンズ群およびその一部が移動しても本発明の効果を低減させることはなく、それらの変更は容易である。
【００８２】
例えば、数値実施例３において、最終レンズ群の物体側の一部である３１面から３３面までが、開口絞りと一体に第５レンズ群Ｌ５と同じ軌跡を描いて移動する変形を説明する。
【００８３】
上記変更により、３１面から３３面で構成される接合レンズが移動することにより、特にズーム中間における色収差補正能力が相対的に高まり、軸上色収差および倍率色収差のズーム変動が減少し、更に高い光学性能が実現される。
【００８４】
また、数値実施例３において、最終レンズ群の物体側の一部である３４面から４３面までが独立に移動する変形を説明する。３４面へは物体側から略アフォーカルな光束が入射するため、上記複数レンズが移動することでバックフォーカス以外は略不変となる。従って、ズーム時のピント移動などを効果的に補正する群としての役割を担うことができる。
【００８５】
以下に本発明の実施例１〜７に対する数値実施例１〜７を示す。各数値実施例において、ｉは物体側からの面の順序を示し、ｒｉは物体側より第ｉ番目の面の曲率半径、ｄｉは物体側より第ｉ番目の面と第ｉ＋１番目の面の間隔、ｎｄｉ，νｄｉは第ｉ番目の面と第ｉ＋１番目の面の間の光学部材の屈折率とアッベ数である。非球面は面番号の横に＊印を付けている。各実施例と前述した条件式との対応を表１に示す。
【００８６】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６をそれぞれ非球面係数としたとき、次式で表している。また、「ｅ−Ｚ」は「×１０−Ｚ」を意味する。
Ｘ＝（Ｈ２／Ｒ）／［１＋｛１−（１＋ｋ）（Ｈ２／Ｒ２）｝０．５］＋Ａ３×Ｈ３＋
Ａ４×Ｈ４＋Ａ５×Ｈ５＋Ａ６×Ｈ６＋Ａ７×Ｈ７＋Ａ８×Ｈ８＋Ａ９×Ｈ９＋Ａ１０×Ｈ１０＋Ａ１１×Ｈ１１＋Ａ１２×Ｈ１２＋Ａ１３×Ｈ１３＋Ａ１４×Ｈ１４＋Ａ１５×Ｈ１５＋Ａ１６×Ｈ１６
【００８７】
［数値実施例１］
単位 mm
面データ
単位 mm
面番号      r         d        nd       vd       θgF
1*     1918.222      2.50   1.83481    42.7     0.565
2        30.936     17.09
3*      159.855      2.00   1.83481    42.7     0.565
4        86.331     10.04
5       -94.827      1.80   1.83481    42.7     0.565
6      -527.011      0.15
7        94.270      4.26   1.92286    18.9     0.650
8       347.768      1.67
9       164.790      8.26   1.60300    65.4     0.540
10*     -99.054      4.41
11     -604.301      8.00   1.43387    95.1     0.537
12      -55.085      0.30
13      -53.196      1.70   1.80000    29.8     0.602
14     -110.385      0.18
15      169.977      1.70   1.91650    31.6     0.591
16       53.615     13.56   1.43875    94.7     0.534
17     -122.220      0.40
18      861.296      9.06   1.43387    95.1     0.537
19      -67.470      0.40
20      111.203      8.23   1.76385    48.5     0.559
21     -166.639    (可変)
22       96.566      0.70   2.00100    29.1     0.600
23       17.507      4.07
24      -61.457      0.70   1.43875    94.7     0.534
25       70.548      2.33
26     -109.228      5.39   1.85478    24.8     0.612
27      -14.852      0.70   1.88300    40.8     0.567
28      171.286      0.21
29       40.389      3.04   1.64769    33.8     0.594
30     -122.593    (可変)
31      -32.417      0.80   1.72916    54.7     0.544
32       45.308      2.57   1.84666    23.8     0.620
33     1466.077    (可変)
34*      66.039      6.29   1.58913    61.1     0.541
35      -54.493    (可変)
36(絞り)    ∞        2.79       
37       98.112      6.63   1.57501    41.5     0.577
38      -32.130      1.00   1.80440    39.6     0.576
39     -246.874     36.71
40       38.655      6.30   1.54814    45.8     0.569
41      -58.854      1.67
42     -104.794      0.85   1.89190    37.1     0.578
43       25.035      6.46   1.43875    94.7     0.534
44      -83.552      0.20
45       89.592      7.23   1.43875    94.7     0.534
46      -21.653      0.85   1.88300    40.8     0.567
47      -67.451      0.13
48      131.321      5.46   1.59410    60.5     0.555
49      -36.995      4.00
50          ∞       33.00   1.60859    46.4           
51          ∞       13.20   1.51680    64.2           
52          ∞      (可変)                             
像面        ∞   
非球面データ
第1面
K = 0.00000e+000  A 4= 3.89922e-006  A 6= 1.07694e-008  A 8= 7.79026e-012  A10= 9.49367e-014  A12= 1.11174e-016  A14= 1.85192e-020  A16=-6.14971e-026  
A 3= 1.60188e-005  A 5=-1.68458e-007  A 7=-3.06230e-010  A 9=-1.17457e-012  A11=-4.11466e-015  A13=-1.90016e-018  A15=-7.32479e-023  
第3面
K = 0.00000e+000  A 4=-2.18327e-006  A 6=-7.46601e-008  A 8=-7.11385e-010  A10=-3.23420e-013  A12= 1.59786e-015  A14=-6.51605e-019  A16=-2.04040e-022  
A 3=-1.28010e-005  A 5= 4.37046e-007  A 7= 9.13598e-009  A 9= 3.03267e-011  A11=-3.27268e-014  A13=-1.78219e-017  A15= 2.23023e-020  
第10面
K = 0.00000e+000  A 4= 1.08070e-006  A 6= 1.37549e-008  A 8= 2.71473e-010  A10= 2.08368e-013  A12=-7.68841e-016  A14= 1.05285e-018  A16= 2.18705e-022  
A 3=-3.60136e-006  A 5=-1.77292e-008  A 7=-2.66936e-009  A 9=-1.44188e-011  A11= 1.68104e-014  A13=-4.82004e-018  A15=-2.64010e-020  
第34面
K =-1.32879e+001  A 4= 3.02200e-006  A 6=-4.71059e-009  A 8= 3.92608e-012  
【００８８】
各種データ
ズーム比     13.60 
広角     中間     望遠
焦点距離       4.43    18.00    60.25  
Fナンバー      1.85     1.86     2.78  
画角          51.15    16.99     5.22  
像高           5.50     5.50     5.50  
レンズ全長   320.05   320.05   320.05  
BF             7.45     7.45     7.45  
d21            0.65    38.81    52.71  
d30           40.88     4.21     4.40  
d33           14.36    17.09     2.11  
d35            7.74     3.52     4.41  
d52            7.45     7.45     7.45  
ズームレンズ群データ
群  始面    焦点距離  
1    1      29.69  
2   22     -20.23  
3   31     -48.88  
4   34      51.48  
5   36      53.26  
【００８９】
［数値実施例２］
単位 mm
面データ
面番号      r         d        nd       vd       θgF
1*      475.907      2.50   1.83481    42.7     0.565
2        33.006     17.18
3*      130.411      2.00   1.83481    42.7     0.565
4        73.689     11.20
5      -113.700      1.75   1.89190    37.1     0.578
6     -1198.361      0.15
7        90.419      4.74   1.95906    17.5     0.660
8       305.511      5.08
9       205.636      8.23   1.59522    67.7     0.544
10*    -105.286      5.14
11     -319.741      6.35   1.43387    95.1     0.537
12      -67.140      1.42
13      -53.955      1.70   1.75520    27.5     0.610
14     -100.394      0.18
15      184.133      1.70   1.91650    31.6     0.591
16       58.915     14.13   1.43875    94.7     0.534
17      -87.470      0.40
18     -238.998      6.38   1.43387    95.1     0.537
19      -70.373      0.40
20      123.551      5.61   1.76385    48.5     0.559
21    -1248.700    (可変)
22      588.638      5.04   1.59522    67.7     0.544
23     -126.876    (可変)
24       78.715      0.70   2.00100    29.1     0.600
25       16.851      5.14
26      -36.557      0.70   1.43875    94.7     0.534
27      155.542      1.60
28     3827.478      5.53   1.85478    24.8     0.612
29      -17.600      0.65   1.88300    40.8     0.567
30      132.977      0.21
31       37.312      2.95   1.64769    33.8     0.594
32     -303.836    (可変)
33      -31.012      0.75   1.72916    54.7     0.544
34       54.664      2.43   1.84666    23.8     0.620
35     -548.605    (可変)
36*      93.074      6.66   1.58913    61.1     0.541
37      -45.565    (可変)
38(絞り)    ∞       2.79   
39       47.132      5.37   1.53172    48.8     0.563
40     -595.190      1.00   1.80440    39.6     0.573
41       69.322     35.50
42       82.003      5.16   1.56732    42.8     0.573
43      -51.042      1.65
44     -162.695      0.85   1.83481    42.7     0.565
45       25.689      5.38   1.48749    70.2     0.530
46      522.680      0.20
47       43.378      7.09   1.49700    81.5     0.537
48      -30.854      0.85   2.00330    28.3     0.598
49      -85.922      0.13
50       75.187      4.73   1.51633    64.1     0.535
51      -63.417      4.00
52          ∞      33.00   1.60859    46.4           
53          ∞      13.20   1.51680    64.2           
54          ∞     (可変)                             
像面        ∞   
非球面データ
第1面
K = 0.00000e+000  A 4= 1.66699e-006  A 6= 3.97834e-008  A 8= 6.33138e-011  A10= 6.47897e-014  A12= 1.06423e-016  A14= 2.14372e-021  A16=-1.48668e-024  
A 3= 1.89824e-005  A 5=-3.19812e-007  A 7=-2.13277e-009  A 9=-1.45990e-012  A11=-3.44034e-015  A13=-1.53431e-018  A15= 1.86785e-022  
第3面
K = 0.00000e+000  A 4=-3.58730e-007  A 6=-3.95559e-008  A 8=-5.25902e-010  A10=-1.98706e-012  A12=-7.36620e-016  A14= 1.36899e-018  A16= 1.28157e-022  
A 3=-1.81162e-005  A 5= 2.24449e-007  A 7= 5.18668e-009  A 9= 3.85000e-011  A11= 6.40546e-014  A13=-2.92776e-017  A15=-2.20320e-020  
第10面
K = 0.00000e+000  A 4= 1.28011e-006  A 6= 1.58176e-008  A 8= 2.03861e-010  A10= 1.60646e-013  A12= 7.94518e-018  A14= 1.18241e-018  A16= 1.74175e-022  
A 3=-4.66744e-006  A 5=-6.75467e-008  A 7=-2.31123e-009  A 9=-9.89999e-012  A11= 4.98860e-015  A13=-2.46231e-017  A15=-2.32811e-020  
第36面
K =-2.89398e+000  A 4=-3.40355e-006  A 6= 1.02160e-009  A 8=-1.51730e-012  
【００９０】
各種データ
ズーム比     15.05 
広角     中間     望遠
焦点距離       4.65    18.00    70.00  
Fナンバー      1.86     1.85     3.31  
画角          49.79    16.99     4.49  
像高           5.50     5.50     5.50  
レンズ全長   328.65   328.65   328.65  
BF             7.45     7.45     7.45  
d21            1.00     6.25     7.44  
d23            1.64    35.45    49.32  
d32           40.15     4.48     3.18  
d35           21.23    23.11     2.11  
d37            7.69     2.42     9.65  
d54            7.45     7.45     7.45  
ズームレンズ群データ
群  始面    焦点距離  
1    1      50.81  
2   22     175.21  
3   24     -21.68  
4   33     -50.69  
5   36      52.66  
6   38      55.41  
【００９１】
［数値実施例３］
単位 mm
面データ
面番号      r         d        nd       vd       θgF
1*      212.531      2.70   1.83481    42.7     0.565
2        35.761     26.69
3       -96.759      2.00   1.85150    40.8     0.569
4      -309.137      0.15
5       101.288      4.82   1.89286    20.4     0.639
6       256.658      1.29
7       133.986     10.12   1.59522    67.7     0.544
8*     -125.696      6.94
9       292.988      1.80   1.80000    29.8     0.602
10       48.201     13.26   1.43875    94.7     0.534
11     -229.927      0.40
12      109.122     13.41   1.43387    95.1     0.537
13      -70.421      0.40
14       83.897      6.87   1.76385    48.5     0.559
15    -5495.256    (可変)
16      129.990      0.70   2.00100    29.1     0.600
17       17.771    (可変)
18     -360.451      0.80   1.59522    67.7     0.544
19       33.329      2.94
20      -79.064      5.51   1.85478    24.8     0.612
21      -12.457      0.70   1.88300    40.8     0.567
22      244.291      0.20
23       40.072      2.90   1.64769    33.8     0.594
24     -142.975    (可変)
25      -32.347      0.80   1.72916    54.7     0.544
26       58.424      2.31   1.84666    23.8     0.620
27     -907.159    (可変)
28*      72.504      6.54   1.58313    59.4     0.542
29      -46.466    (可変)
30(絞り)    ∞       1.37   
31      172.455      5.61   1.51742    52.4     0.556
32      -38.794      1.00   1.85150    40.8     0.569
33     -109.873     35.50
34       61.347      4.51   1.64769    33.8     0.594
35      -80.388      0.50
36      129.440      0.90   1.88300    40.8     0.567
37       22.619      4.90   1.49700    81.5     0.537
38      128.053      0.20
39       56.837      6.77   1.49700    81.5     0.537
40      -25.586      0.90   2.00100    29.1     0.600
41     -106.423      0.70
42      160.219      4.87   1.48749    70.2     0.530
43      -35.055      4.00
44          ∞      33.00   1.60859    46.4           
45          ∞      13.20   1.51680    64.2           
46          ∞     (可変)                             
像面        ∞   
非球面データ
第1面
K = 0.00000e+000  A 4= 8.50691e-007  A 6= 7.67858e-010  A 8=-1.87256e-012  A10= 2.04087e-015  A12=-1.18869e-018  A14= 3.52210e-022  A16=-4.16301e-026  
第8面
K = 0.00000e+000  A 4= 8.51072e-007  A 6=-1.26425e-011  A 8=-5.09277e-013  A10= 1.07250e-015  A12=-1.67422e-018  A14= 1.31020e-021  A16=-4.00302e-025  
第28面
K =-1.74464e+001  A 4= 1.47451e-006  A 6=-5.06636e-009  A 8= 5.10980e-012  
【００９２】
各種データ
ズーム比     17.40 
広角     中間     望遠
焦点距離       5.18    21.04    90.04  
Fナンバー      1.86     1.86     3.00  
画角          46.74    14.65     3.50  
像高           5.50     5.50     5.50  
レンズ全長   304.81   304.81   304.81  
BF             7.45     7.45     7.45  
d15            0.79    34.35    48.73  
d17            8.20     5.03     5.28  
d24           42.29     5.04     2.91  
d27           12.29    17.57     2.11  
d29            1.60     3.18     6.14  
d46            7.45     7.45     7.45  
ズームレンズ群データ
群  始面    焦点距離  
1    1      37.55  
2   16     -20.46  
3   18     -75.97  
4   25     -51.17  
5   28      49.37  
6   30      53.32  
【００９３】
［数値実施例４］
単位 mm
面データ
面番号      r         d        nd       vd       θgF
1*    -2440.056      2.50   1.83481    42.7     0.565
2        31.805     17.32
3*      149.046      2.00   1.83481    42.7     0.565
4        76.892     10.51
5      -106.503      1.75   1.89190    37.1     0.578
6      -701.504      0.15
7        96.907      4.26   1.95906    17.5     0.660
8       354.199      2.00
9       200.819      7.84   1.59522    67.7     0.544
10*    -102.442      4.41
11     -441.091      8.07   1.43387    95.1     0.537
12      -54.784      0.34
13      -52.604      1.70   1.75520    27.5     0.610
14     -112.274      0.18
15      172.755      1.70   1.91650    31.6     0.591
16       56.670     14.35   1.43875    94.7     0.534
17     -108.571      0.40
18     1049.793      9.46   1.43387    95.1     0.537
19      -68.289      0.40
20      113.998      8.57   1.76385    48.5     0.559
21     -173.194    (可変)
22       86.514      0.70   2.00100    29.1     0.600
23       17.319      4.15
24      -67.204      0.70   1.43875    94.7     0.534
25       58.617      2.31
26     -183.166      5.73   1.85478    24.8     0.612
27      -14.517      0.65   1.88300    40.8     0.567
28      122.213      0.21
29       37.048      2.97   1.64769    33.8     0.594
30     -233.512    (可変)
31      -33.485      0.75   1.72916    54.7     0.544
32       52.080      2.45   1.84666    23.8     0.620
33    -2211.841    (可変)
34*      64.235      6.57   1.58913    61.1     0.541
35      -54.423    (可変)
36(絞り)    ∞       2.79    
37       70.219      6.70   1.54814    45.8     0.569
38      -36.962      1.00   1.83481    42.7     0.565
39    -1942.112     35.50
40       67.563      5.74   1.56732    42.8     0.573
41      -49.439      0.50
42     -240.736      0.85   1.83481    42.7     0.565
43       27.262      5.48   1.48749    70.2     0.530
44     -532.114      0.20
45       48.795      7.17   1.43875    94.7     0.534
46      -26.137      0.85   2.00330    28.3     0.598
47      -74.114      0.15
48      110.891      4.64   1.51633    64.1     0.535
49      -49.780      4.00
50          ∞      33.00   1.60859    46.4           
51          ∞      13.20   1.51680    64.2           
52          ∞     (可変)                             
像面        ∞   
非球面データ
第1面
K = 0.00000e+000  A 4= 4.76599e-006  A 6= 2.34876e-008  A 8= 3.32114e-011  A10= 1.08361e-013  A12= 1.45131e-016  A14= 5.37314e-022  A16=-1.88075e-024  
A 3= 8.53759e-006  A 5=-2.91957e-007  A 7=-1.09456e-009  A 9=-1.52308e-012  A11=-5.29333e-015  A13=-1.88364e-018  A15= 2.49247e-022  
第3面
K = 0.00000e+000  A 4=-2.13576e-006  A 6=-5.67472e-008  A 8=-5.37801e-010  A10=-1.96389e-013  A12= 1.85283e-015  A14=-3.01329e-019  A16=-2.20403e-022  
A 3=-3.60251e-006  A 5= 3.56225e-007  A 7= 6.89385e-009  A 9= 2.29023e-011  A11=-3.37819e-014  A13=-3.37814e-017  A15= 2.03629e-020  
第10面
K = 0.00000e+000  A 4= 7.74130e-007  A 6= 3.72970e-009  A 8= 2.38598e-010  A10= 4.29430e-013  A12=-7.21051e-016  A14= 8.28730e-019  A16= 2.10538e-022  
A 3= 4.29253e-009  A 5= 4.39822e-008  A 7=-1.74984e-009  A 9=-1.60309e-011  A11= 8.20870e-015  A13= 1.99888e-018  A15=-2.37790e-020  
第34面
K =-1.02237e+001  A 4= 1.79145e-006  A 6=-2.51857e-009  A 8= 7.85257e-013  
【００９４】
各種データ
ズーム比     15.40 
広角     中間     望遠
焦点距離       4.15    16.30    63.91  
Fナンバー      1.86     1.86     2.97  
画角          52.96    18.65     4.92  
像高           5.50     5.50     5.50  
レンズ全長   322.37   322.37   322.37  
BF             7.45     7.45     7.45  
d21            0.64    39.46    55.37  
d30           42.49     3.92     3.28  
d33           15.87    19.96     2.10  
d35            9.06     4.72     7.31  
d52            7.45     7.45     7.45  
ズームレンズ群データ
群  始面    焦点距離  
1    1      29.21  
2   22     -19.70  
3   31     -52.38  
4   34      50.86  
5   36      54.10  
【００９５】
［数値実施例５］
単位 mm
面データ
面番号      r         d        nd       vd       θgF
1*     1918.222      2.50   1.83481    42.7     0.565
2        30.936     17.09
3*      159.855      2.00   1.83481    42.7     0.565
4        86.331     10.04
5       -94.827      1.80   1.83481    42.7     0.565
6      -527.011      0.15
7        94.270      4.26   1.92286    18.9     0.650
8       347.768      1.67
9       164.790      8.26   1.60300    65.4     0.540
10*     -99.054      4.41
11     -604.301      8.00   1.43387    95.1     0.537
12      -55.085      0.30
13      -53.196      1.70   1.80000    29.8     0.602
14     -110.385      0.18
15      169.977      1.70   1.91650    31.6     0.591
16       53.615     13.56   1.43875    94.7     0.534
17     -122.220      0.40
18      861.296      9.06   1.43387    95.1     0.537
19      -67.470      0.40
20      111.203      8.23   1.76385    48.5     0.559
21     -166.639    (可変)
22       96.566      0.70   2.00100    29.1     0.600
23       17.507      4.07
24      -61.457      0.70   1.43875    94.7     0.534
25       70.548      2.33
26     -109.228      5.39   1.85478    24.8     0.612
27      -14.852      0.70   1.88300    40.8     0.567
28      171.286      0.21
29       40.389      3.04   1.64769    33.8     0.594
30     -122.593    (可変)
31      -32.417      0.80   1.72916    54.7     0.544
32       45.308      2.57   1.84666    23.8     0.620
33     1466.077    (可変)
34*      66.039      6.29   1.58913    61.1     0.541
35      -54.493    (可変)
36(絞り)    ∞       1.23        
37     -146.608      5.95   1.65412    39.7     0.574
38      -26.790      1.20   1.48749    70.2     0.530
39     -242.076      0.50
40       28.365      9.41   1.61340    44.3     0.563
41      -36.561      1.00   1.91650    31.6     0.591
42       53.226     16.94
43       56.307      5.37   1.59270    35.3     0.593
44      -40.775      1.72
45      -88.517      1.00   2.00330    28.3     0.598
46       18.351      6.25   1.59270    35.3     0.593
47     -133.069      1.03
48       89.104      5.54   1.43875    94.7     0.534
49      -27.160      1.00   1.88300    40.8     0.567
50     -103.507      0.50
51       96.965      6.25   1.43875    94.7     0.534
52      -28.402      1.15   1.88300    40.8     0.567
53      -82.487      2.03
54     -178.584      5.44   1.59270    35.3     0.593
55      -30.177      5.00
56          ∞      63.04   1.60859    46.4           
57          ∞       8.70   1.51633    64.2           
58          ∞     (可変)                             
像面        ∞   
非球面データ
第1面
K = 0.00000e+000  A 4= 3.89922e-006  A 6= 1.07694e-008  A 8= 7.79026e-012  A10= 9.49367e-014  A12= 1.11174e-016  A14= 1.85192e-020  A16=-6.14971e-026  
A 3= 1.60188e-005  A 5=-1.68458e-007  A 7=-3.06230e-010  A 9=-1.17457e-012  A11=-4.11466e-015  A13=-1.90016e-018  A15=-7.32479e-023  
第3面
K = 0.00000e+000  A 4=-2.18327e-006  A 6=-7.46601e-008  A 8=-7.11385e-010  A10=-3.23420e-013  A12= 1.59786e-015  A14=-6.51605e-019  A16=-2.04040e-022  
A 3=-1.28010e-005  A 5= 4.37046e-007  A 7= 9.13598e-009  A 9= 3.03267e-011  A11=-3.27268e-014  A13=-1.78219e-017  A15= 2.23023e-020  
第10面
K = 0.00000e+000  A 4= 1.08070e-006  A 6= 1.37549e-008  A 8= 2.71473e-010  A10= 2.08368e-013  A12=-7.68841e-016  A14= 1.05285e-018  A16= 2.18705e-022  
A 3=-3.60136e-006  A 5=-1.77292e-008  A 7=-2.66936e-009  A 9=-1.44188e-011  A11= 1.68104e-014  A13=-4.82004e-018  A15=-2.64010e-020  
第34面
K =-1.32879e+001  A 4= 2.10073e-006  A 6=-4.02075e-009  A 8= 1.67201e-012  
【００９６】
各種データ
ズーム比     13.60 
広角     中間     望遠
焦点距離       7.52    30.00   102.28  
Fナンバー      3.07     3.07     4.72  
画角          50.89    17.14     5.17  
像高           9.25     9.25     9.25  
レンズ全長   357.83   357.83   357.83  
BF            15.29    15.29    15.29  
d21            0.65    38.47    52.71  
d30           40.88     4.34     4.40  
d33           14.36    17.17     2.11  
d35           13.90     9.80    10.57  
d58           15.29    15.29    15.29  
ズームレンズ群データ
群  始面    焦点距離  
1    1      29.69  
2   22     -20.23  
3   31     -48.88  
4   34      51.48  
5   36      87.37  
【００９７】
［数値実施例６］
単位 mm
面データ
面番号      r         d        nd       vd       θgF
1*     1918.222      2.50   1.83481    42.7     0.565
2        30.936     17.09
3*      159.855      2.00   1.83481    42.7     0.565
4        86.331     10.04
5       -94.827      1.80   1.83481    42.7     0.565
6      -527.011      0.15
7        94.270      4.26   1.92286    18.9     0.650
8       347.768      1.67
9       164.790      8.26   1.60300    65.4     0.540
10*     -99.054      4.41
11     -604.301      8.00   1.43387    95.1     0.537
12      -55.085      0.30
13      -53.196      1.70   1.80000    29.8     0.602
14     -110.385      0.18
15      169.977      1.70   1.91650    31.6     0.591
16       53.615     13.56   1.43875    94.7     0.534
17     -122.220      0.40
18      861.296      9.06   1.43387    95.1     0.537
19      -67.470      0.40
20      111.203      8.23   1.76385    48.5     0.559
21     -166.639    (可変)
22       96.566      0.70   2.00100    29.1     0.600
23       17.507      4.07
24      -61.457      0.70   1.43875    94.7     0.534
25       70.548      2.33
26     -109.228      5.39   1.85478    24.8     0.612
27      -14.852      0.70   1.88300    40.8     0.567
28      171.286      0.21
29       40.389      3.04   1.64769    33.8     0.594
30     -122.593    (可変)
31      -32.417      0.80   1.72916    54.7     0.544
32       45.308      2.57   1.84666    23.8     0.620
33     1466.077    (可変)
34*      66.039      6.29   1.58913    61.1     0.541
35      -54.493    (可変)
36(絞り)    ∞       1.23    
37       96.703      4.40   1.65412    39.7     0.574
38      -96.817      1.20   1.59522    67.7     0.544
39       50.587      1.00
40       29.640      5.27   1.65412    39.7     0.574
41       78.888      1.50   1.95906    17.5     0.660
42       53.183     16.94
43       51.140      5.40   1.60342    38.0     0.584
44      -45.998      1.72
45      -38.534      1.00   2.00330    28.3     0.598
46       26.965      7.26   1.60342    38.0     0.584
47      -29.300      1.03
48       79.044      5.83   1.43875    94.7     0.534
49      -25.384      1.00   1.88300    40.8     0.567
50     -346.571      0.50
51       48.073      6.70   1.43875    94.7     0.534
52      -28.690      1.15   1.88300    40.8     0.567
53       65.211      2.03
54       75.752      7.43   1.60342    38.0     0.584
55      -27.785      5.00
56          ∞      63.04   1.60859    46.4           
57          ∞       8.70   1.51633    64.2           
58          ∞     (可変)                             
像面        ∞   
非球面データ
第1面
K = 0.00000e+000  A 4= 3.89922e-006  A 6= 1.07694e-008  A 8= 7.79026e-012  A10= 9.49367e-014  A12= 1.11174e-016  A14= 1.85192e-020  A16=-6.14971e-026  
A 3= 1.60188e-005  A 5=-1.68458e-007  A 7=-3.06230e-010  A 9=-1.17457e-012  A11=-4.11466e-015  A13=-1.90016e-018  A15=-7.32479e-023  
第3面
K = 0.00000e+000  A 4=-2.18327e-006  A 6=-7.46601e-008  A 8=-7.11385e-010  A10=-3.23420e-013  A12= 1.59786e-015  A14=-6.51605e-019  A16=-2.04040e-022  
A 3=-1.28010e-005  A 5= 4.37046e-007  A 7= 9.13598e-009  A 9= 3.03267e-011  A11=-3.27268e-014  A13=-1.78219e-017  A15= 2.23023e-020  
第10面
K = 0.00000e+000  A 4= 1.08070e-006  A 6= 1.37549e-008  A 8= 2.71473e-010  A10= 2.08368e-013  A12=-7.68841e-016  A14= 1.05285e-018  A16= 2.18705e-022  
A 3=-3.60136e-006  A 5=-1.77292e-008  A 7=-2.66936e-009  A 9=-1.44188e-011  A11= 1.68104e-014  A13=-4.82004e-018  A15=-2.64010e-020  
第34面
K =-1.32879e+001  A 4= 1.18121e-006  A 6=-4.75275e-009  A 8= 2.72462e-012  
【００９８】
各種データ
ズーム比     13.60 
広角     中間     望遠
焦点距離       7.52    27.92   102.27  
Fナンバー      3.07     3.07     4.72  
画角          50.89    18.33     5.17  
像高           9.25     9.25     9.25  
レンズ全長   356.12   356.12   356.12  
BF            15.29    15.29    15.29  
d21            0.65    37.09    52.71  
d30           40.88     4.91     4.40  
d33           14.36    17.47     2.11  
d35           13.12     9.54     9.79  
d58           15.29    15.29    15.29  
ズームレンズ群データ
群  始面    焦点距離  
1    1      29.69  
2   22     -20.23  
3   31     -48.88  
4   34      51.48  
5   36      87.08  
【００９９】
［数値実施例７］
単位 mm
面データ
面番号      r         d        nd       vd       θgF
1*      212.531      2.70   1.83481    42.7     0.565
2        35.761     26.69
3       -96.759      2.00   1.85150    40.8     0.569
4      -309.137      0.15
5       101.288      4.82   1.89286    20.4     0.639
6       256.658      1.29
7       133.986     10.12   1.59522    67.7     0.544
8*     -125.696      6.94
9       292.988      1.80   1.80000    29.8     0.602
10       48.201     13.26   1.43875    94.7     0.534
11     -229.927      0.40
12      109.122     13.41   1.43387    95.1     0.537
13      -70.421      0.40
14       83.897      6.87   1.76385    48.5     0.559
15    -5495.256    (可変)
16      129.990      0.70   2.00100    29.1     0.600
17       17.771    (可変)
18     -360.451      0.80   1.59522    67.7     0.544
19       33.329      2.94
20      -79.064      5.51   1.85478    24.8     0.612
21      -12.457      0.70   1.88300    40.8     0.567
22      244.291      0.20
23       40.072      2.90   1.64769    33.8     0.594
24     -142.975    (可変)
25      -32.347      0.80   1.72916    54.7     0.544
26       58.424      2.31   1.84666    23.8     0.620
27     -907.159    (可変)
28*      72.504      6.54   1.58313    59.4     0.542
29      -46.466    (可変)
30(絞り)    ∞       1.23    
31       61.592      8.11   1.65412    39.7     0.574
32      -26.140      1.20   1.59522    67.7     0.544
33      140.962      0.50
34       78.525      7.26   1.61340    44.3     0.563
35      -25.700      1.00   2.00100    29.1     0.600
36     -436.571     16.94
37      261.932      4.57   1.59270    35.3     0.593
38      -33.054      1.72
39      -44.013      1.00   2.05090    26.9     0.605
40       28.248      7.78   1.59270    35.3     0.593
41      -25.488      1.03
42      147.802      6.25   1.43875    94.7     0.534
43      -22.178      1.00   1.88300    40.8     0.567
44      -71.015      0.50
45       93.245      7.09   1.43875    94.7     0.534
46      -23.723      1.15   1.88300    40.8     0.567
47      375.130      2.03
48     -340.560      7.21   1.59270    35.3     0.593
49      -23.999      5.00
50          ∞      63.04   1.60859    46.4           
51          ∞       8.70   1.51633    64.2           
52          ∞     (可変)                             
像面        ∞   
非球面データ
第1面
K = 0.00000e+000  A 4= 8.50691e-007  A 6= 7.67858e-010  A 8=-1.87256e-012  A10= 2.04087e-015  A12=-1.18869e-018  A14= 3.52210e-022  A16=-4.16301e-026  
第8面
K = 0.00000e+000  A 4= 8.51072e-007  A 6=-1.26425e-011  A 8=-5.09277e-013  A10= 1.07250e-015  A12=-1.67422e-018  A14= 1.31020e-021  A16=-4.00302e-025  
第28面
K =-1.74464e+001  A 4= 4.03982e-006  A 6=-5.74195e-009  A 8= 3.31458e-012  
【０１００】
各種データ
ズーム比     17.40 
広角     中間     望遠
焦点距離       8.66    35.19   150.60  
Fナンバー      3.10     3.10     5.02  
画角          46.90    14.73     3.51  
像高           9.25     9.25     9.25  
レンズ全長   348.43   348.43   348.43  
BF            15.30    15.30    15.30  
d15            0.79    34.35    48.73  
d17            8.20     5.03     5.28  
d24           42.29     5.04     2.91  
d27           12.29    17.57     2.11  
d29            0.98     2.56     5.52  
d52           15.30    15.30    15.30  
ズームレンズ群データ
群  始面    焦点距離  
1    1      37.55  
2   16     -20.46  
3   18     -75.97  
4   25     -51.17  
5   28      49.37  
6   30      87.72  
【０１０１】
【表１】
2020134834.tif 000003
【符号の説明】
【０１０２】
Ｌ１  第１レンズ群、Ｌ２  第２レンズ群、Ｌ３  第３レンズ群、Ｌ４  第４レンズ群、Ｌ５  第５レンズ群、ＬＲ  最終レンズ群、ＦＲ  ＦＲレンズ群、ＲＲ  ＲＲレンズ群
【図１】
2020134834.tif 000004
【図２】
2020134834.tif 000005
【図３】
2020134834.tif 000006
【図４】
2020134834.tif 000007
【図５】
2020134834.tif 000008
【図６】
2020134834.tif 000009
【図７】
2020134834.tif 000010
【図８】
2020134834.tif 000011
【図９】
2020134834.tif 000012
【図１０】
2020134834.tif 000013
【図１１】
2020134834.tif 000014
【図１２】
2020134834.tif 000015
【図１３】
2020134834.tif 000016
【図１４】
2020134834.tif 000017
【図１５】
2020134834.tif 000018
【図１６】
2020134834.tif 000019